(57)【要約】【課題】  車両の車体面に泡状水垢除去剤を噴射するノズルを備えた洗車機において、ノズルから噴出される泡状水垢除去剤の噴射流が扇形に広がる角度を大きくすることができ、その泡状水垢除去剤の泡粒を細かくして液状部分の少ない泡状にでき、水垢処理効果を高めることができる。【解決手段】  ノズル１２は泡状水垢除去剤を扇形に広げて噴射するためのスリット状噴射口３４を設けた吐出部３２を有し、その吐出部３２には、噴射口３４から噴射される泡状処理剤の扇形の広がりを拡大させるための網３５が被せられている。【選択図】    図４
2006224844.tif 000002
【特許請求の範囲】
【請求項１】
洗車すべき車両の車体面に、泡生成装置で生成した泡状処理剤を噴射するノズルを備えた洗車機において、
前記ノズルは、前記泡状処理剤を扇形に広げて噴射するためのスリット状噴射口を設けた吐出部を有し、その吐出部には、前記噴射口から噴射される泡状処理剤の扇形に広がる角度を大きくするための網が被せられていることを特徴とする、洗車機。
【請求項２】
前記スリット状噴射口の出口端は、円弧状であることを特徴とする、前記請求項１記載の洗車機。
【発明の詳細な説明】
【技術分野】
【０００１】
本発明は、車両の車体面の処理をするための、泡状処理剤を噴射するノズルを備えた洗車機に関する。
【背景技術】
【０００２】
従来、水と処理剤（水垢除去剤）とを混合して処理剤混合水を生成するエゼクタ（第１エゼクタ）と、その処理剤混合水と空気とを混合して泡状処理剤を生成する気液混合器（第２エゼクタ）とからなる泡生成装置で泡状処理剤を生成し、その泡状処理剤を散布ノズルから車両の車体面に向けて散布し、車体表面の処理（水垢除去処理）をするようにした、洗車機は公知である（たとえば、下記特許文献１参照  ）。
【特許文献１】特開昭６０−１２１１５６号公報。
【発明の開示】
【発明が解決しようとする課題】
【０００３】
ところで、前記特許文献１に開示されるような、泡状処理剤による車体表面の処理手段を備えた洗車機では、その処理効果を向上させるには、
(1) ノズルから噴射される泡状処理剤の、扇形状に広がる噴射流の広がり角度を大きくすること、
(2) ノズルから噴射される泡状処理剤の泡粒を細かくして液体状分の少ない泡状にすること、
が要求まれる。
【０００４】
しかしながら、前記特許文献１に開示されるものでは、前記要求を充足するような技術的手段が講じられていない。
【０００５】
本発明は、かかる実情に鑑みてなされたもので、泡状処理剤が扇形に広がる角度を大きくできて、ノズルから噴射される泡状処理剤は、泡粒を細かくして液体状分が少ない泡状にすることができるようにした、新規な洗車機を提供することを目的とする。
【課題を解決するための手段】
【０００６】
上記目的を達成するために、請求項１記載の発明は、洗車すべき車両の車体面に、泡生成装置で生成した泡状処理剤を噴射するノズルを備えた洗車機において、
前記ノズルは、前記泡状処理剤を扇形に広げて噴射するためのスリット状噴射口を設けた吐出部を有し、その吐出部には、前記噴射口から噴射される泡状処理剤の扇形に広がる角度を大きくするための網が被せられていることを特徴としている。
【０００７】
上記目的達成のため、請求項２記載の発明は、前記スリット状噴射口の出口端は、円弧状であることを特徴としている。
【発明の効果】
【０００８】
請求項各項記載の発明によれば、ノズルのスリット状噴射口に網を被せたことにより、噴射流が扇形に広がる角度を大きくすることができ、ノズルから噴出される泡状処理剤は、その泡粒を細かくして液状部分の少ない泡状にでき、泡状処理剤による処理効果を高めることができる。
【０００９】
また、請求項２記載の発明によれば、噴射流パターンにおける泡状処理剤の分散のムラを少なくできる。
【発明を実施するための最良の形態】
【００１０】
本発明の実施の形態を、添付図面に例示した本発明の実施例に基づいて以下に具体的に説明する。
【００１１】
図１は、水垢除去剤散布装置を備えた洗車機の正面図、図２は、その洗車機の側面図、図３は、水垢処理剤散布装置の配管系統図、図４は、ノズルの側面図、図５は、図４の５矢視図、図６は、図４の６−６線断面図、図７は、図５の７−７線断面図である。
【００１２】
図１，２において、洗車機本体１は、門型のフレーム２を有し、そのフレーム２に設けた、走行モータ３で駆動される左右一対の駆動輪４，４と左右一対の従動車輪５，５とにより、地上に敷設される左右一対の走行レール６，６上を往復走行する。
【００１３】
フレーム２には、従来公知の洗車機器が設けられており、すなわち車両Ｖの上面を洗浄するトップブラシ７と、車両Ｖの側面を洗浄する左右一対のサイドブラシ８，８と、車両Ｖの上面を乾燥するトップノズル９と、車両Ｖの側面を乾燥する左右一対のサイドノズル１０，１０とを備え、さらに、本発明に従う水垢除去剤散布装置１１と、図示されない洗浄水噴射装置が設けられている。
【００１４】
つぎに、本発明に従う水垢除去剤散布装置１１の構成について説明する。
【００１５】
図１に示すように、水垢除去剤散布装置１１は、フレーム２の上部に設けられて洗車すべき車両Ｖの車体上面に泡状水垢除去剤を散布する一対のノズル１２，１２と、フレーム２の左右側面にそれぞれ設けられて洗車すべき車両Ｖの車体側面に泡状水垢除去剤を散布する左右一対のノズル１２，１２とを備えており、各ノズル１２…はフレーム２に固定された支持筒１３…にそれぞれ取り付けられている。
【００１６】
つぎに、図３を参照して、ノズル１２…に泡状水垢除去剤を供給する水垢除去剤散布装置１１の構成について詳述するに、各ノズル１２…の取り付けられる複数の支持筒１３に…には、気液混合器１４が接続されている。気液混合器１４には電磁弁１５を介して、洗車機本体１の近傍に設置したエア源１６が接続されている。
【００１７】
また、気液混合気１４には、エゼクタ１７が接続され、このエゼクタ１７には、他の電磁弁１８を介して、洗車機本体１の近傍に設置した水槽１９内の給水ポンプ２０が接続されている。
【００１８】
さらに、エゼクタ１７には、流量調整器２１を介して水垢除去剤タンク２２が接続されている。
【００１９】
前述のように構成される水垢除去剤散布装置１１を作動すべく、給水ポンプ２０を稼働し、電磁弁１５と他の電磁弁１８を開弁すれば、エゼクタ１７へ水垢除去剤タンク２２内の水垢除去剤が吸引され、この水垢除去剤と、給水ポンプ２０からの水とが混合されて気液混合器１４へ送られる。気液混合器１４では、水と混合した水垢除去剤とエア源１６からのエアとが混合されて水垢除去剤は泡状となる。この泡状の水垢除去剤は、ノズル１２…から噴射される。
【００２０】
なお、前記電磁弁１５、他の電磁弁１８、エゼクタ１７、気液混合器１４は協働して本発明にかかる泡生成装置を構成する。
【００２１】
つぎに、図４〜７を参照してノズル１２の構造について説明する。
【００２２】
ノズル１２は、その基端１２ａ側に、前記支持筒１３に取り付けるための、雄ネジｓを形成した六角ボルト状の取付部３１を有し、また、その先端１２ｂ側に吐出部３２を有している。ノズル１２には、その中心軸線に沿って基端側１２ａ側から流入路３３が設けられており、その流入路３３の先端３３ａは円錐形に形成されている。
【００２３】
前記吐出部３２は、円柱状の基端部分３２ａと半球状の先端部分３２ｂとより断面Ｕ字状に形成されており、その半球状の先端部分３２ｂには、スリット状の噴射口３４が設けられており、この噴射口３４の底面３４ｂは、半球状先端部分３２ｂと円柱状基端部分３２ａとの境界線と一致している。
【００２４】
しかして、前記スリット状の噴射口３４は、半球状の先端部分３２ｂに設けられることにより、その出口端３４ａは円弧状に形成されることになる。
【００２５】
吐出部３２には、ステンレス製の網３５が被せられている。網３５は、吐出部３２の、半球状先端部分３２ｂと円柱状基端部分３２ａとに跨がってそれらに密着しており、締付リング３６にて、円柱状基端部分３２ａの外周に締め付け固定されており、吐出部３２から外れないようにされている。
【００２６】
つぎに、この実施例の作用について説明する。
【００２７】
給水ポンプ２０を稼働して電磁弁１５と他の電磁弁１８を開弁すれば、ノズル１２…から泡状水垢除去剤が噴射される。ここで、洗車機本体１を、第２図実線位置に示す待機位置（スタート位置）から往行、すなわち走行レール６，６の左端から右方へ、あるいは第２図鎖線位置に示す折返し位置から復行、すなわち走行レール６，６の右端から左方へ、走行させれば、泡状水垢除去剤を車両Ｖの車体上面および両側面へ散布することができる。
【００２８】
ところで、各ノズル１２…のスリット状噴射口３４から噴射される泡状水垢除去剤は、図１に示すように、扇形に広がり、その広がり角θは、ノズル１２の吐出部３２に被せられる網３５により広げることができる。すなわち、流入路３３を流れる泡状水垢除去剤は、噴射口３４を通り、網３４を通過する際に、その一部が網３４の線条部分に当たって跳ね返って非定常流を生じ、この跳ね返りによる非定常流が、定常流と衝突して外方に分散する成分を発生し、これにより、噴射口３４より噴射される泡状水垢除去剤の扇形の広がり角θを、網３５を被せないときよりも広げることができる。
【００２９】
また、ノズル１２から噴射された泡状水垢除去剤は、網３５により拡散されるので、網３５を被せないときよりも泡粒を細かくして液体状分の少ない泡状とすることができる。      
【００３０】
さらに、ノズル１２から噴射される泡状水垢除去剤は、網３５により拡散されるので、網３５を被せないときよりも噴射パターンＰ１〜Ｐ２（図１参照）において、泡状水垢除去剤の分散のムラが少なくなる。
【００３１】
以上、本発明の実施例について説明したが、本発明はその実施例に限定されることなく、本発明の範囲内で種々の実施例が可能である。
【００３２】
たとえば、前記実施例では、処理剤として水垢除去剤を使用したが、洗剤など他の処理剤を使用するものに実施することができる。また、噴射口３４の出口端３４ａの形状は、円弧状の外、これと同じ作用を奏するものであれば他の形状にしてもよい。
【図面の簡単な説明】
【００３３】
【図１】水垢除去剤散布装置を備えた洗車機の正面図
【図２】図２はその洗車機の側面図
【図３】水垢処理剤散布装置の配管系統図
【図４】ノズルの側面図
【図５】図４の５矢視図
【図６】図４の６−６線断面図
【図７】図５の７−７線断面図
【符号の説明】
【００３４】
１２・・・・・・・・・・・・ノズル
３２・・・・・・・・・・・・吐出部
３３・・・・・・・・・・・・流入路
３４・・・・・・・・・・・・噴射口
３４ａ・・・・・・・・・・・出口端
３５・・・・・・・・・・・・網
１４，１５，１７，１８・・・泡生成装置
Ｖ・・・・・・・・・・・・・車両
【図１】
2006224844.tif 000003
【図２】
2006224844.tif 000004
【図３】
2006224844.tif 000005
【図４】
2006224844.tif 000006
【図５】
2006224844.tif 000007
【図６】
2006224844.tif 000008
【図７】
2006224844.tif 000009